(57)【要約】【課題】熟練を要する目地形成作業が不要で施工を容易かつ低コスト化でき、汚れが目立ちやすい目地の清掃も不要であることに加え、施工後のタイルが剥離して落下することを防止できるタイルを提供する。【解決手段】タイル１は、側部に凸部２を有し、当該凸部２は、隣接配置されるタイル１の側部に設けられた凹部３と噛合するように構成されている。このため、熟練を要する目地形成作業が不要で施工を容易かつ低廉に行うことができ、汚れが目立ちやすい目地の清掃も不要であることに加え、施工後のタイル１が剥離して落下することを防止できる。【選択図】図４
0003231157.tif 000002
【実用新案登録請求の範囲】
【請求項１】
側部に凸部を有し、当該凸部は、隣接配置されるタイルの側部に設けられた凹部と噛合するように構成されていることを特徴とするタイル。
【請求項２】
側部に凹部を有し、当該凹部は、隣接配置されるタイルの側部に設けられた凸部と噛合するように構成されていることを特徴とするタイル。
【請求項３】
側部に凸部および凹部を有し、当該凸部は隣接配置されるタイルの側部に設けられた凹部と噛合するように構成され、前記凹部は隣接配置されるタイルの側部に設けられた凸部と噛合するように構成されていることを特徴とするタイル。
【請求項４】
前記タイルは、平面視矩形に形成され、対向する辺の一辺に前記凸部が設けられ他辺に前記凹部が設けられている請求項３に記載のタイル。
【請求項５】
前記タイルは、平面視矩形に形成され、対向する二辺にそれぞれ前記凸部が設けられ、他方の対向する二辺にそれぞれ前記凹部が設けられている請求項３に記載のタイル。
【請求項６】
前記タイルは、厚さ方向に段差を有し、当該段差により、隣接配置されるタイルに設けられた前記凹部と噛合する前記凸部が構成されると共に、隣接配置されるタイルに設けられた前記凸部と噛合する前記凹部が構成されている請求項３ないし５のいずれかに記載のタイル。
【請求項７】
前記タイルは、前記段差による前記凸部に、隣接配置されるタイルに設けられた第２の凸部に噛合する第２の凹部を有している請求項６に記載のタイル。
【請求項８】
前記タイルは、前記段差による前記凹部に、隣接配置されるタイルに設けられた第２の凹部に噛合する第２の凸部を有している請求項６または７に記載のタイル。
【請求項９】
前記タイルは、隣接配置されるタイルの上面を部分的に覆う突出部を有している請求項１ないし８のいずれかに記載のタイル。
【請求項１０】
前記タイルは、一側部から他側部に向かって徐々に肉厚に形成され、前記他端部側に前記突出部を有している請求項９に記載のタイル。
【請求項１１】
前記タイルは、一種類の同一形態のタイルにより、隣接配置されたタイル同士が噛合してタイル張設面が構成されるものである請求項３に記載のタイル。
【請求項１２】
前記タイルは、複数種類の異なる形態のタイルにより、隣接配置されたタイル同士が噛合してタイル張設面が構成されるものである請求項１または２に記載のタイル。
【考案の詳細な説明】
【技術分野】
【０００１】
本考案は、隣接配置されたタイル同士が噛合し目地形成を不要とするタイルに関するものである。
【背景技術】
【０００２】
例えば、壁面等へのタイル施工に際しては、一般に隣接配置されるタイル間に目地が形成されるが、この目地形成作業は熟練を要すると共に施工が煩雑でコスト高の要因となっている。また、目地にカビ等汚れが付着しやすくメンテナンスが煩雑であった。
【０００３】
このような問題を解決するものとして、例えば四方側部を傾斜面に形成したテーパ付きタイルが提案されている（特開平６−１９１９６９号公報）。このタイルは、テーパ部を目地に見せることで目地の形成を不要としたものである。
【０００４】
しかし、このテーパ付きタイルは目地がない分、施工後の経時変化によって、一般的なタイルより剥離しやすく落下するおそれがあった。
【先行技術文献】
【特許文献】
【０００５】
【特許文献１】特開平６−１９１９６９号公報
【考案の概要】
【考案が解決しようとする課題】
【０００６】
そこで、本考案の課題は、熟練を要する目地形成作業が不要で施工を容易かつ低廉に行うことができ、汚れが目立ちやすい目地の清掃も不要であることに加え、施工後のタイルが剥離して落下することを防止できるタイルを提供することにある。
【課題を解決するための手段】
【０００７】
上記課題を解決するものは、側部に凸部を有し、当該凸部は、隣接配置されるタイルの側部に設けられた凹部と噛合するように構成されていることを特徴とするタイルである（請求項１）。
【０００８】
また、上記課題を解決するものは、側部に凹部を有し、当該凹部は、隣接配置されるタイルの側部に設けられた凸部と噛合するように構成されていることを特徴とするタイルである（請求項２）。
【０００９】
さらに、上記課題を解決するものは、側部に凸部および凹部を有し、当該凸部は隣接配置されるタイルの側部に設けられた凹部と噛合するように構成され、前記凹部は隣接配置されるタイルの側部に設けられた凸部と噛合するように構成されていることを特徴とするタイル（請求項３）。
【００１０】
前記タイルは、平面視矩形に形成され、対向する辺の一辺に凸部が設けられ他辺に凹部が設けられていることが好ましい（請求項４）。前記タイルは、平面視矩形に形成され、対向する二辺にそれぞれ凸部が設けられ、他方の対向する二辺にそれぞれ凹部が設けられていてもよい（請求項５）。前記タイルは、厚さ方向に段差を有し、当該段差により、隣接配置されるタイルに設けられた前記凹部と噛合する前記凸部が構成されると共に、隣接配置されるタイルに設けられた前記凸部と噛合する前記凹部が構成されていることが好ましい（請求項６）。前記タイルは、前記段差による前記凸部に、隣接配置されるタイルに設けられた第２の凸部に噛合する第２の凹部を有していることが好ましい（請求項７）。前記タイルは、前記段差による前記凹部に、隣接配置されるタイルに設けられた第２の凹部に噛合する第２の凸部を有していることが好ましい（請求項８）。前記タイルは、隣接配置されるタイルの上面を部分的に覆う突出部を有していてもよい（請求項９）。前記タイルは、一側部から他側部に向かって徐々に肉厚に形成され、前記他端部側に前記突出部を有していてもよい（請求項１０）。前記タイルは、一種類の同一形態のタイルにより、隣接配置されたタイル同士が噛合してタイル張設面が構成されるものであることが好ましい（請求項１１）。前記タイルは、複数種類の異なる形態のタイルにより、隣接配置されたタイル同士が噛合してタイル張設面が構成されるものであってもよい（請求項１２）。
【考案の効果】
【００１１】
請求項１ないし３に記載したタイルによれば、熟練を要する目地形成作業が不要で施工を容易かつ低廉に行うことができ、汚れが目立ちやすい目地の清掃も不要であることに加え、施工後のタイルが剥離して落下することを防止できる。
請求項４に記載したタイルによれば、上記請求項３の考案の効果を奏するタイルを容易に構成できると共に、一種類の形態のタイルでタイル張設面を構成できる。
請求項５に記載したタイルによれば、上記請求項３の考案の効果を奏するタイルを容易に構成できると共に、一種類の形態のタイルでタイル張設面を構成できる。
請求項６に記載したタイルによれば、上記請求項３ないし５の考案の効果を奏するタイルを容易に構成できる。
請求項７または８に記載したタイルによれば、施工後により落下しないタイルを構成できる。
請求項９に記載したタイルによれば、隣接配置されるタイルと重なる部分が構成できることで、三次元的でより興趣に富んだタイル張設面を構成できる。
請求項１０に記載したタイルによれば、上記請求項９の考案の効果を奏するタイルをより容易に構成できる。
請求項１１に記載したタイルによれば、一種類のタイルで張設作業がより容易となる。
請求項１２に記載したタイルによれば、複数種のタイルを組み合わせることでより興趣に富んだタイル張設面を構成できる。
【図面の簡単な説明】
【００１２】
【図１】本考案のタイルの一実施例の平面図である。
【図２】図１に示したタイルの正面図である。
【図３】図１に示したタイルの右側面図である。
【図４】図１に示したタイルの使用状態を説明するための平面図である。
【図５】本考案のタイルの他の実施例の平面図である。
【図６】図５に示したタイルの正面図である。
【図７】図５に示したタイルの右側面図である。
【図８】図５に示したタイルの使用状態を説明するための平面図である。
【図９】本考案のタイルの他の実施例の平面図である。
【図１０】図９に示したタイルの正面図である。
【図１１】図９に示したタイルの右側面図である。
【図１２】図９に示したタイルの使用状態を説明するための平面図である。
【図１３】本考案のタイルの他の実施例の平面図である。
【図１４】図１３に示したタイルの正面図である。
【図１５】図１３に示したタイルの右側面図である。
【図１６】図１３に示したタイルの使用状態を説明するための平面図である。
【図１７】本考案のタイルの他の実施例の平面図である。
【図１８】図１７に示したタイルの正面図である。
【図１９】図１７に示したタイルの右側面図である。
【図２０】図１７に示したタイルの使用状態を説明するための平面図である。
【図２１】本考案のタイルの他の実施例の平面図である。
【図２２】図２１に示したタイルの正面図である。
【図２３】図２１に示したタイルの右側面図である。
【図２４】図２１に示したタイルの使用状態を説明するための平面図である。
【図２５】本考案のタイルの他の実施例におけるタイルの平面図である。
【図２６】図２５に示したタイルの正面図である。
【図２７】図２５に示したタイルの右側面図である。
【図２８】本考案のタイルの他の実施例におけるタイルの平面図である。
【図２９】図２８に示したタイルの正面図である。
【図３０】図２８に示したタイルの右側面図である。
【図３１】本考案のタイルの他の実施例におけるタイルの平面図である。
【図３２】図３１に示したタイルの正面図である。
【図３３】図３２に示したタイルの右側面図である。
【図３４】図２５から図３３に示したタイルの使用状態を説明するための平面図である。
【考案を実施するための形態】
【００１３】
本考案では、側部に凸部２または／および凹部３を有し、当該凸部２または／および凹部３は、隣接配置されるタイルの側部に設けられた凹部３または／および凸部２と噛合するように構成されていることで、熟練を要する目地形成作業が不要で施工を容易かつ低廉に行うことができ、汚れが目立ちやすい目地の清掃も不要であることに加え、施工後のタイルが剥離して落下することを防止できるタイル１を実現した。
【実施例１】
【００１４】
本考案のタイルを図１ないし図４に示した一実施例を用いて説明する。
この実施例のタイル１は、側部に凸部２および凹部３を有し、当該凸部および凹部３は、隣接配置されるタイルの側部に設けられた凹部３および凸部２とそれぞれ噛合するように構成されている。以下、各構成について順次詳述する。
【００１５】
この実施例のタイル１は、図１に示すように、平面視矩形（この実施例は正方形）に形成されており、図１中、上辺と右辺の二辺にそれぞれ凸部２を有し、下辺と左辺の二辺にそれぞれ凹部３を有している。
【００１６】
具体的には、この実施例のタイル１は、図２または図３に示すように、タイル１の厚さ方向に段差ｈ（二段構造）を有しており、この段差ｈにより、タイル１の側部（上辺と右辺の二辺）には、二段構造の下段にて構成された凸部（凸条部）２が設けられている。他方、タイル１の側部（下辺と左辺の二辺）には、二段構造の上段の下方空間にて構成された凹部（凹条部）３が設けられている。
【００１７】
そして、このタイル１を２枚、図４に示すように左右に隣接配置すると、図中、左側に配されたタイル１の右辺に設けられた凸部（凸条部）２と、右側に配されたタイル１の左辺に設けられた凹部（凹条部）３が噛合するように構成されている。より具体的には、左側に配されたタイル１の右辺に設けられた凸部（凸条部）２が、右側に配されたタイル１の左辺に設けられた凹部（凹条部）３内に侵入して噛合するように構成されている。
【００１８】
このように、本考案では、タイル１の上方および下方、タイル１の左右にそれぞれタイル１を隣接配置することにより、側部に設けられた凸部２と凹部３が噛合して、一種類の形態のタイル１でタイル張設面を構成することができる。このため、タイル間に目地が形成されず、熟練を要する目地形成作業が不要となり施工を容易かつ低廉に行うことができ、モルタル等に形成された目地に汚れやカビ等が付着することがなく目地清掃が不要であることに加え、隣接配置されたタイル１同士は凸部２と凹部３で噛合しているため、施工後のタイルが剥離して落下することがより抑制される。
【００１９】
なお、この実施例のタイル１は、平面視矩形に形成され、対向する辺の一辺（図１中、上辺）に凸部２が設けられ、他辺（図１中、下辺）に凹部３が設けられており、また、対向する辺の一辺（図１中、右辺）に凸部２が設けられ、他辺（図１中、左辺）に凹部３が設けられている。ただし、本考案のタイルはこれに限定されるものではなく、例えばタイルは平面視矩形に形成され、対向する二辺にそれぞれ凸部が設けられ、他方の対向する二辺にそれぞれ凹部が設けられているものも本考案の範疇に包含される。
【００２０】
本考案のタイルは、段差による凸部に、隣接配置されるタイルに設けられた第２の凸部に噛合する第２の凹部を有していることが好ましい。具体的には、この実施例のタイル１は、タイル１の側部（上辺と右辺の二辺）は、二段構造の下段にて構成された凸部（凸条部）２が、辺の中央付近にそれぞれ第２の凹部４を有し、他方、タイル１の側部（下辺と左辺の二辺）は、二段構造の上段の下方空間にて構成された凹部（凹条部）３が、辺の中央付近にそれぞれ第２の凸部５を有している。
【００２１】
そして、このタイル１を隣接配置すると、図４に示すように、図中、左側に配されたタイル１の右辺に設けられた第２の凹部４と、右側に配されたタイル１の左辺に設けられた第２の凸部５が噛合するように構成されている。より具体的には、左側に配されたタイル１の右辺に設けられた第２の凹部４内に、右側に配されたタイル１の左辺に設けられた第２の凸部５が侵入して噛合するように構成されている。これによって、施工後により落下しないタイルが構成される。
【００２２】
なお、本考案のタイルは、一般的なタイルと同様、原料調合工程、成形工程および焼成生工程を経て作製されるが、ファインセラミック技術を用いることで、複雑な形状であって、かつ軽量にタイルが形成されている。具体的には、例えば、この実施例のタイル１は、原料調合工程では水分量が多く油分を添加した半湿式用原料が用いられ、成形工程では１個単位のプレス成型にて作製されている。また、本考案のタイルは、隣接配置されるタイル同士を側部に設けられた凹部または凸部で噛合させつつ、下地材に接着材を用いて貼着することにより、目地形成を行うことなく、容易にタイル施工（タイル張設面の形成）を行うことができる。
【００２３】
つぎに、図５ないし図８に示した本考案の他の実施例について説明する。
この実施例のタイル１０と前述したタイル１との相違は、厚さ方向の最上段に凹凸により表現された模様層１１が一体に成形されている点であり他は同様である。タイル１と同一構成部分については同一符号を付し説明を省略する。
【００２４】
このように、本考案のタイルは、ファインセラミックス技術を用いて精緻な模様も再現できるため、例えば額縁のようなフレームの中に、図８に示すようなタイル１０によるタイル張設面を構成することにより、観賞用装飾品を形成することもできる。
【００２５】
さらに、図９ないし図１２に示した本考案の他の実施例について説明する。
この実施例のタイル２０と前述したタイル１との基本的な相違は、タイル１の平面形状が正方形であるのに対して、タイル２０の平面形状が略菱形に形成されている点である。
【００２６】
具体的には、この実施例のタイル２０は、図９中、上辺２１に凸部２１ａを有し、左上側傾斜辺２２に第２凸部２２ａを有し、右上側傾斜辺２３に第３凸部２３ａを有し、下辺２４に凹部２４ａを有し、左下側傾斜辺２５に第２凹部２５ａを有し、右下側傾斜辺２６に第３凹部２６ａを有している。
【００２７】
そして、このタイル２０を図１２に示すように上下左右に４枚隣接配置すると、（１）上部中央に配したタイル２０の下辺に設けられた凹部２４ａ内に、下部中央に配したタイル２０の上辺に設けられた凸部２１ａが侵入して噛合し、（２）上部中央に配したタイル２０の左下側傾斜辺２５に設けられた凹部２５ａ内に、左斜め下側に配したタイル２０の右上側傾斜辺２３に設けられた第３凸部２３ａが侵入して噛合し、（３）上部中央に配したタイル２０の右下側傾斜辺２６に設けられた凹部２６ａ内に、右斜め下側に配したタイル２０の左上側傾斜辺２２に設けられた第２凸部２２ａが侵入して噛合し、（４）左斜め下側に配したタイル２０の右下側傾斜辺２６に設けられた凹部２６ａ内に、下部中央に配したタイル２０の左上側傾斜辺２２に設けられた第２凸部２２ａが侵入して噛合し、（５）右斜め下側に配したタイル２０の左下側傾斜辺２５に設けられた凹部２５ａ内に、下部中央に配したタイル２０の右上側傾斜辺２３に設けられた第３凸部２３ａが侵入して噛合し、以上の５ケ所で隣接配置された４枚のタイル２０が噛合（なお、図１２において噛合する部位における符号は省略した。）してタイル張設面が構成されている。
【００２８】
このように、本考案のタイルは、平面視正方形に限定されるものではなく、例えばこの実施例のように平面視略菱形でもよく、平面視長方形、平面視三角形なども本考案の範疇に包含される。
【００２９】
さらに、図１３ないし図１６に示した本考案の他の実施例について説明する。
この実施例のタイル３０と前述したタイル２０との基本的な相違は、タイル３０が一側部から他側部に向かって徐々に肉厚に形成されている点と、他端部側に、隣接配置されるタイル３０の上面３０ａを部分的に覆う突出部３１を有している点である。
【００３０】
具体的には、この実施例のタイル３０は、図１５に示すように、一側部（図中上側）から他側部（図中下側）に向かって徐々に肉厚に形成されており、他端部側の側部に突出部（突出辺）３１が形成されている。
【００３１】
そして、このタイル３０を図１６に示すように４枚隣接配置すると、（１）上部中央に配したタイル３０の左下側傾斜辺３４に設けられた凹部３４ａ内に、左斜め下側に配したタイル３０の右上側傾斜辺３３に設けられた第２凸部３３ａが侵入して噛合し、（２）上部中央に配したタイル３０の右下側傾斜辺３５に設けられた凹部３５ａ内に、右斜め下側に配したタイル３０の左上側傾斜辺３２に設けられた凸部３２ａが侵入して噛合し、（３）左斜め下側に配したタイル３０の右下側傾斜辺３５に設けられた第２凹部３５ａ内に、下部中央に配したタイル３０の左上側傾斜辺３２に設けられた凸部３２ａが侵入して噛合し、（４）右斜め下側に配したタイル３０の左下側傾斜辺３４に設けられた凹部３４ａ内に、下部中央に配したタイル３０の右上側傾斜辺３３に設けられた第２凸部３３ａが侵入して噛合し、以上の４ケ所で隣接配置された４枚のタイル３０が噛合してタイル張設面が構成される。
【００３２】
また、上記タイル張設面は、（１）上部中央に配したタイル３０の左下側傾斜辺３４に設けられた突出部（突出辺部）３１が、左斜め下側に配したタイル３０の右上側傾斜辺３３の上面３０ａ付近を部分的に被覆し、（２）上部中央に配したタイル３０の右下側傾斜辺３５に設けられた突出部（突出辺部）３１が、右斜め下側に配したタイル３０の左上側傾斜辺３２の上面３０ａ付近を部分的に被覆し、（３）左斜め下側に配したタイル３０の右下側傾斜辺３５に設けられた突出部（突出辺部）３１が、下部中央に配したタイル３０の左上側傾斜辺３２の上面３０ａ付近を部分的に被覆し、（４）右斜め下側に配したタイル３０の左下側傾斜辺３４に設けられた突出部（突出辺部）３１が、下部中央に配したタイル３０の右上側傾斜辺３３の上面３０ａ付近を部分的に被覆するようにして構成される。これらにより、隣接配置されるタイルと重なる部分が構成されることで、三次元的でより興趣に富んだタイル張設面が構成できる。
【００３３】
さらに、図１７ないし図２０に示した本考案の他の実施例について説明する。
この実施例のタイル４０と前述したタイル３０との基本的な相違は、タイル３０が一側部から他側部に向かって徐々に肉厚に形成されているのに対して、タイル４０は縦方向および横方向の両方向において、一側部から他側部に向かって徐々に肉厚に形成されている点である。
【００３４】
具体的には、この実施例のタイル４０は、図１８に示すように、図中横方向において一側部（図中右側）から他側部（図中左側）に向かって徐々に肉厚に形成されており、他端部側の側部に突出部４１が形成されている。
【００３５】
また、この実施例のタイル４０は、図１９に示すように、図中縦方向において一側部（図中下側）から他側部（図中上側）に向かって徐々に肉厚に形成されており、他端部側の側部に突出部４１が形成されている。
【００３６】
そして、このタイル４０を図２０に示すように４枚隣接配置すると、（１）上部右側に配したタイル４０の左辺４４に設けられた凹部４４ａ内に、上部左側に配したタイル４０の右辺４２に設けられた凸部４２ａが侵入して噛合し、（２）下部右側に配したタイル４０の左辺４４に設けられた凹部４４ａ内に、下部左側に配したタイル４０の右辺４２に設けられた凸部４２ａが侵入して噛合し、（３）下部右側に配したタイル４０の上辺４５に設けられた第２凹部４５ａ内に、上部右側に配したタイル４０の下辺４３に設けられた第２凸部４３ａが侵入して噛合し、（４）下部左側に配したタイル４０の上辺４５に設けられた第２凹部４５ａ内に、上部左側に配したタイル４０の下辺４３に設けられた第２凸部４３ａが侵入して噛合し、以上の４ケ所で隣接配置された４枚のタイル４０が噛合し、これらの噛合を上下左右のタイルにおいて連続的にて行うことによりタイル張設面が構成される。
【００３７】
また、上記タイル張設面は、（１）上部右側に配したタイル４０の左辺４４に設けられた突出部（突出辺部）４１が、上部左側に配したタイル４０の右辺４２の上面４０ａ付近を部分的に被覆し、（２）下部右側に配したタイル４０の左辺４４に設けられた突出部（突出辺部）４１が、下部左側に配したタイル４０の右辺４２の上面４０ａ付近を部分的に被覆し、（３）下部右側に配したタイル４０の上辺４５に設けられた突出部（突出辺部）４１が、上部右側に配したタイル４０の下辺４３の上面４０ａ付近を部分的に被覆し、（４）下部左側に配したタイル４０の上辺４５に設けられた突出部（突出辺部）４１が、上部左側に配したタイル４０の下辺４３の上面４０ａ付近を部分的に被覆するようにして構成される。これらにより、隣接配置されるタイルと重なる部分が構成されることで、より三次元的で興趣に富んだタイル張設面が構成できる。
【００３８】
さらに、図２１ないし図２４に示した本考案の他の実施例について説明する。
この実施例のタイル５０と前述したタイル３０との基本的な相違点は、タイル５０の平面形状が略菱形ではなく、図２１に示すように、略銀杏の葉型（略扇型）である点である。
【００３９】
具体的には、この実施例のタイル５０は、図２３に示すように、一側部（図中下側）から他側部（図中上側）に向かって徐々に肉厚に形成されており、他端部側の側部に突出部５１が形成されている。この実施例のタイル５０における凸部５２，５３は、図２１中下方の両側に設けられた弧状の半径部であり、凹部５４は弧状の突出部５１の下方空間で構成されている。また、図２１中、左右方向にタイル５０を噛合させるために、左辺を形成する側部には第２凸部５５が設けられ、右辺を形成する側部には第２凹部５６が設けられている。
【００４０】
そして、このタイル５０を図２４に示すように３枚隣接配置すると、（１）下部中央に配したタイル５０の凹部５４内の左半分に、上部左側に配したタイル５０の凸部５３が侵入して噛合し、（２）下部中央に配したタイル５０の凹部５４内の右半分に、上部右側に配したタイル５０の凸部５２が侵入して噛合し、（３）上部左側に配したタイル５０の第２凹部５６に、上部左側に配したタイル５０の第２凸部５５が侵入して噛合し、以上の３ケ所で隣接配置された３枚のタイル５０が噛合し、これらの噛合を上下左右のタイルにおいて連続的にて行うことによりタイル張設面が構成される。
【００４１】
また、上記タイル張設面は、（１）下部中央に配したタイル５０の上部に設けられた弧状の突出部（突出辺部）５１が、上部左側に配したタイル５０の凸部５３の上面５０ａ付近を部分的に被覆し、（２）下部中央に配したタイル５０の上部に設けられた弧状の突出部（突出辺部）５１が、上部右側に配したタイル５０の凸部５２の上面５０ａ付近を部分的に被覆するようにして構成される。これらにより、隣接配置されるタイルと重なる部分が構成されることで、三次元的でより興趣に富んだ鱗状のタイル張設面が構成できる。
【００４２】
なお、上記実施例のタイル１，１０，２０，３０，４０，５０はいずれも、一種類の同一形態のタイルにより、隣接配置されたタイル同士が噛合してタイル張設面を構成できものであるが、本考案のタイルは、これに限定されるものではなく、複数種類の異なる形態のタイルにより、隣接配置されたタイル同士が噛合してタイル張設面が構成されるものであってもよい。
【００４３】
例えば図２５ないし図３４に示したタイル６０，７０，８０は、３種類のタイル６０，７０，８０が噛合してタイル張設面が構成されるものである。
【００４４】
具体的には、タイル６０は、図２５に示すように平面視三角形で、図２５ないし図２７に示すように上面の三方にそれぞれ略半円状の凹部６１を有している。タイル７０は、図２８に示すように平面視六角形で、図２８ないし図３０に示すように下部の六方にそれぞれ凹部７１を有している。タイル８０は、図３１に示すように、先端部が凸部８１を構成する帯状部８２と、図３１ないし図３３に示すように帯状部８２の中央付近の両側にそれぞれ延出部（第２凸部）８３を一体的に有している。
【００４５】
そして、これらタイル６０，７０，８０は、図３４に示すように、中央部にタイル７０を配し、（１）タイル７０の６つの凹部７１内に、タイル８０の凸部８１が六方向からそれぞれ侵入してタイル７０とタイル８０が噛合し、加えて、（２）タイル７０の六方にそれぞれ配されたタイル６０の凹部６１の上部に、タイル８０の延出部（第２凸部）８３が載置されてタイル６０とタイル８０が噛合することで、タイル張設面が構成されている。
【００４６】
また、二種類のタイルを噛合させてタイル張設面が構成されるものとしては、例えば、タイルが平面視矩形に形成され、４辺の全てに凸部か凹部のいずれか一方を設けたものなどが挙げられ、そのようなものも本考案の範疇に包含される。
【符号の説明】
【００４７】
１        タイル
２        凸部
３        凹部
４        第２の凹部
５        第２の凸部
【図１】
0003231157.tif 000003
【図２】
0003231157.tif 000004
【図３】
0003231157.tif 000005
【図４】
0003231157.tif 000006
【図５】
0003231157.tif 000007
【図６】
0003231157.tif 000008
【図７】
0003231157.tif 000009
【図８】
0003231157.tif 000010
【図９】
0003231157.tif 000011
【図１０】
0003231157.tif 000012
【図１１】
0003231157.tif 000013
【図１２】
0003231157.tif 000014
【図１３】
0003231157.tif 000015
【図１４】
0003231157.tif 000016
【図１５】
0003231157.tif 000017
【図１６】
0003231157.tif 000018
【図１７】
0003231157.tif 000019
【図１８】
0003231157.tif 000020
【図１９】
0003231157.tif 000021
【図２０】
0003231157.tif 000022
【図２１】
0003231157.tif 000023
【図２２】
0003231157.tif 000024
【図２３】
0003231157.tif 000025
【図２４】
0003231157.tif 000026
【図２５】
0003231157.tif 000027
【図２６】
0003231157.tif 000028
【図２７】
0003231157.tif 000029
【図２８】
0003231157.tif 000030
【図２９】
0003231157.tif 000031
【図３０】
0003231157.tif 000032
【図３１】
0003231157.tif 000033
【図３２】
0003231157.tif 000034
【図３３】
0003231157.tif 000035
【図３４】
0003231157.tif 000036
【手続補正書】
【提出日】令和3年1月6日(2021.1.6)
【手続補正１】
【補正対象書類名】実用新案登録請求の範囲
【補正対象項目名】全文
【補正方法】変更
【補正の内容】
【実用新案登録請求の範囲】
【請求項１】
隣接配置されるタイルの側部に設けられた凹部と噛合する凸部を側部に有すると共に、隣接配置されるタイルの側部と前記側部が噛合するように構成されていることを特徴とするタイル。
【請求項２】
隣接配置されるタイルの側部に設けられた凸部と噛合する凹部を側部に有すると共に、隣接配置されるタイルの側部と前記側部が噛合するように構成されていることを特徴とするタイル。
【請求項３】
隣接配置されるタイルの側部に設けられた凹部と噛合する凸部と隣接配置されるタイルの側部に設けられた凸部と噛合する凹部を側部に有すると共に、前記隣接配置されるタイルの側部と前記側部が噛合するように構成されていることを特徴とするタイル。
【請求項４】
前記タイルは、平面視矩形に形成され、対向する辺の一辺に前記凸部が設けられ他辺に前記凹部が設けられている請求項３に記載のタイル。
【請求項５】
前記タイルは、平面視矩形に形成され、対向する二辺にそれぞれ前記凸部が設けられ、他方の対向する二辺にそれぞれ前記凹部が設けられている請求項３に記載のタイル。
【請求項６】
前記タイルは厚さ方向に段差を有し、当該段差により隣接配置されるタイルに設けられた凹部と噛合する前記凸部が構成されると共に、隣接配置されるタイルに設けられた凸部と噛合する前記凹部が構成されている請求項３ないし５のいずれかに記載のタイル。
【請求項７】
前記タイルは前記段差による前記凸部に隣接配置されるタイルの側部に設けられた第２の凸部に噛合する第２の凹部を有している請求項６に記載のタイル。
【請求項８】
前記タイルは前記段差による前記凹部に隣接配置されるタイルの側部に設けられた第２の凹部に噛合する第２の凸部を有している請求項６または７に記載のタイル。
【請求項９】
前記タイルは隣接配置されるタイルの上面を部分的に覆う突出部を有している請求項１ないし８のいずれかに記載のタイル。
【請求項１０】
前記タイルは一側部から他側部に向かって徐々に肉厚に形成され、前記他端部側に前記突出部を有している請求項９に記載のタイル。
【請求項１１】
前記タイルは一種類の同一形態のタイルにより、隣接配置されたタイル同士が噛合してタイル張設面が構成される請求項３に記載のタイル。
【請求項１２】
前記タイルは、複数種類の異なる形態のタイルにより、隣接配置されたタイル同士が噛合してタイル張設面が構成される請求項１または２に記載のタイル。
【手続補正２】
【補正対象書類名】明細書
【補正対象項目名】０００７
【補正方法】変更
【補正の内容】
【０００７】
上記課題を解決するものは、隣接配置されるタイルの側部に設けられた凹部と噛合する凸部を側部に有すると共に、隣接配置されるタイルの側部と前記側部が噛合するように構成されていることを特徴とするタイルである。
【手続補正３】
【補正対象書類名】明細書
【補正対象項目名】０００８
【補正方法】変更
【補正の内容】
【０００８】
また、上記課題を解決するものは、隣接配置されるタイルの側部に設けられた凸部と噛合する凹部を側部に有すると共に、隣接配置されるタイルの側部と前記側部が噛合するように構成されていることを特徴とするタイルである。
【手続補正４】
【補正対象書類名】明細書
【補正対象項目名】０００９
【補正方法】変更
【補正の内容】
【０００９】
さらに、上記課題を解決するものは、隣接配置されるタイルの側部に設けられた凹部と噛合する凸部と隣接配置されるタイルの側部に設けられた凸部と噛合する凹部を側部に有すると共に、前記隣接配置されるタイルの側部と前記側部が噛合するように構成されていることを特徴とするタイルである。